(57)【要約】【課題】表情筋に適切な負荷を加えて、効果的な鍛錬ができ、しかも、軽量でコンパクトな表情筋鍛錬具を提供する。【解決手段】マウスピース部４を口に銜えて、ケース３を運動させることによって、表情筋を鍛錬する。ケース３はばね板５を介して、マウスピース部４に弾性支持されるので、ケース３がマウスピース部４に対してケース３の長軸に直交する軸回りに揺動する。また、ケース３には錘９が装着される。また、錘９の交換および増減が可能である。【選択図】図１
2010264132.tif 000002
【特許請求の範囲】
【請求項１】
マウスピースと、
棒体と、
前記棒体が前記マウスピースに対して前記棒体の長軸に直交する軸回りに揺動するように、前記棒体を前記マウスピースに弾性支持するばね部材と、を備える
ことを特徴とする表情筋鍛錬具。
【請求項２】
前記棒体は錘を保持する
ことを特徴とする請求項１に記載の表情筋鍛錬具。
【請求項３】
前記棒体は、長さ方向に分割された２本の筒状体から構成されるとともに、
前記錘は、前記筒状体の少なくとも一方の内部に保持される
ことを特徴とする請求項２に記載の表情筋鍛錬具。
【請求項４】
前記筒状体の内部に、前記錘を前記筒状体の所定の位置に保持する保持ばねを備える
ことを特徴とする請求項３に記載の表情筋鍛錬具。
【発明の詳細な説明】
【技術分野】
【０００１】
本発明は、表情筋、特に口や顎の周りの筋肉を鍛錬する表情筋鍛錬具に関する。
【背景技術】
【０００２】
ヒトの頭部の筋肉のうち、表層にあって、筋肉の一方が皮膚で終わっている皮筋を総称して浅頭筋という。この浅頭筋は、顔面神経に支配されて顔面の皮膚に様々な表情をつくるので、一般に表情筋と呼ばれる。
【０００３】
他の筋肉と同様に、表情筋も加齢によって衰え、顔面に皺や弛みを生させる。言うまでもなく、皺や弛みは美容上好ましくないので、表情筋を鍛錬して、衰えを防ぐことが望まれている。また、筋肉の鍛錬は、例えばダンベルを手で持って、腕を動かして腕の筋肉を鍛えるように、負荷を加えた状態で筋肉を動かして行われる。しかしながら、表情筋に直接に負荷を加えることは難しいという問題があった。
【０００４】
この問題を解決するために、特許文献１において、錘を取り付けた吊り下げシートを口に銜えて、口顎の周囲の表情筋の鍛錬を行う顎筋肉訓練具が提案されている。
【先行技術文献】
【特許文献】
【０００５】
【特許文献１】実用新案登録第３０９７４８４号公報
【発明の概要】
【発明が解決しようとする課題】
【０００６】
特許文献１の顎筋肉訓練具は、表情筋に錘の重量を負荷させて、表情筋を鍛錬することができる。
【０００７】
しかしながら、この顎筋肉訓練具は、錘の静荷重を利用するので、負荷を大きくしようとすれば、錘を重くする必要があるが、錘を重くすれば携帯に不便になるという問題があった。
【０００８】
本発明は、このような背景の下でなされたものであり、表情筋に適切な負荷を加えて、効果的な鍛錬ができ、しかも、軽量でコンパクトな表情筋鍛錬具を提供することを目的とする。
【課題を解決するための手段】
【０００９】
本発明に係る表情筋鍛錬具は、マウスピースと、棒体と、前記棒体が前記マウスピースに対して前記棒体の長軸に直交する軸回りに揺動するように、前記棒体を前記マウスピースに弾性支持するばね部材とを備えることを特徴とする。
【００１０】
また、前記棒体が錘を保持するようにしてもよい。
【００１１】
前記棒体を、長さ方向に分割された２本の筒状体から構成して、前記錘を前記筒状体の少なくとも一方の内部に保持するようにしてもよい。
【００１２】
また、前記錘を前記筒状体の所定の位置に保持する保持ばねを前記筒状体の内部に備えるようにしてもよい。
【発明の効果】
【００１３】
本発明によれば、棒体を上下動させるので、棒体をあまり大きくしないで、十分な負荷を発生させることができる。そのため、軽量かつ、コンパクトな表情筋鍛錬具を実現することができる。
【００１４】
また、棒体に錘を取り付ければ、負荷を大きくすることができる。
【００１５】
また、前記棒体を長さ方向に分割された２本の筒状体から構成して、前記錘を前記筒状体の少なくとも一方の内部に保持すれば、錘の交換や追加が容易になる。そのため、表情筋に加える負荷の調節が容易になる。
【００１６】
また、前記錘を前記筒状体の所定の位置に保持する保持ばねを前記筒状体の内部に備えるようにすれば、前記保持ばねは自在に伸縮するので、前記筒状体に取り付ける錘の寸法や個数に関わらず、前記錘を所定の位置に保持することができる。
【図面の簡単な説明】
【００１７】
【図１】本発明の実施形態の例を示す表情筋鍛錬具の外形図であり、（ａ）は全体平面図、（ｂ）はマウスピース付ばね板の平面図、（ｃ）は全体側面図である。
【図２】表情筋鍛錬具の内部構造を示す断面図である。
【図３】表情筋鍛錬具の使用態様を示す図である。
【発明を実施するための形態】
【００１８】
以下、本発明の実施形態に係る表情筋鍛錬具１の構成と作用を説明する。
【００１９】
図１（ａ）に示すように、表情筋鍛錬具１は、マウスピース付ばね板２とケース３から構成される。
【００２０】
マウスピース付ばね板２は、ウレタン樹脂の平板を「羽子板」状に裁断してなる部材であり、図１（ｂ）に示すように、マウスピース部４、ばね板５、および結合部６を有する。つまり、「羽子板」の上端に当たる部分がマウスピース部４であり、「羽子板」の持ち手に相当する部分が結合部６であり、マウスピース部４と結合部６の中間にばね板５がある。また、結合部６からばね板５の間のマウスピース付ばね板２の中に、ポリプロピレン樹脂製の小片７が挟まれていて、ばね板５部分の弾性を調節している。また、図１（ｃ）（全体側面図）に示すように、マウスピース付ばね板２のマウスピース部４の先端は盛り上がっていてバルブ部８を形成している。
【００２１】
マウスピース部４は使用者が口に銜える部分であり、その目的に適した寸法及び形状でデザインされている。なお、バルブ部８は使用（鍛錬）中に表情筋鍛錬具１が口から外れるのを防ぐ「抜け止め」として機能する。
【００２２】
ばね板５は、ケース３とマウスピース部４の間にあって、ケース３を弾性支持するばね部材である。ケース３はばね板５で弾性支持されているので、使用者が表情筋を使ってマウスピース部４を上下に動かすと、ケース３は、その長さ軸（Ｘ軸）に直交する軸（Ｙ軸）回りに動揺（上下動）する。なお、ばね板５の素材、寸法、形状は、所望のばね定数が得られるように選ばれる。
【００２３】
結合部６は、ケース３の端部に差し込まれて、マウスピース付ばね板２をケース３に結合する部分であり、ケース３の内断面より僅かに大きな断面形状を備えて、結合部６自身の弾性を利用して、ケース３に固定される。
【００２４】
さて、ケース３は錘９を保持するプラスチック製の筒状の部材であり、図２（ａ）に示すように、第１のケース１０と第２のケース１１から構成されている。第１のケース１０と第２のケース１１は、互いに螺合しているので、自在に分解・結合することができる。
【００２５】
また、ケース３の内部には、保持ばね１２を備えている。保持ばね１２は、コイルばねであり、その一端が第２のケース１１に支持され、他端が錘９に当接して、錘９を第１のケース１０に向けて押し出すように作用する。
【００２６】
また、保持ばね１２は自在に伸縮するので、図２（ｂ）に示すように、錘９の数が増減しても、錘９をケース３内の一定の位置に保持することができる。
【００２７】
さて、図３に示すように、表情筋鍛錬具１は、マウスピース部４を上歯１３と下歯１４で軽く挟むとともに、下唇１５をマウスピース部４の下面に当接させて使用される。下唇１５で、マウスピース部４の下面を押し上げると、ケース３が上方に持ち上がる。上唇１６で、マウスピース部４の上面を押し下げると、ケース３は下方に下がる。使用者（鍛錬を行う者）は、これを繰り返して、ケース３を上下動させる。また、上歯１３をバルブ部８に押し当てて、マウスピース部４を口の中に送り入れることもできる。
【００２８】
このように、下唇１５及び上唇１６を動かすために、口顎の周囲の表情筋が使われるので、表情筋が鍛えられる。これにより、表情筋の衰えによる皮膚のたるみや顔の輪郭の丸みが解消される。また、上下動しているケース３の動きを止める時にも、口顎の周囲の表情筋が使われるので、表情筋が鍛えられる。
【００２９】
また、表情筋に加わる負荷の大きさは、ケース３の上下動の振幅によって変化する。ケース３が大きく上下動すれば、表情筋に大きな負荷が加わり、ケース３の上下動の振幅が小さければ、表情筋に加わる負荷は小さくなる。つまり、ケース３及び錘９の質量が小さくても、ケース３を大きく動かせば、表情筋に大きな負荷を加えることができる。
【００３０】
また、表情筋に加わる負荷の大きさは、ケース３及び錘９の質量によっても変化する。表情筋鍛錬具１のケース３は、第１のケース１０と第２のケース１１から構成されて、自在に分解・結合することができるので、ケース３内の錘９の交換や増減が容易である。そのため、鍛錬の目的や使用者の筋力の程度に応じて、錘９の質量を増減して、負荷を調整することができる。
【００３１】
また、錘９は自在に伸縮する保持ばね１２によって、第１のケース１０に押しつけられているので、ケース３内の錘９の寸法や個数を変更しても、錘９はケース３の所定の位置に保持される。また、錘９を第２のケース１１の中に保持するようにしてもよい。
【００３２】
なお、錘９の材質として、鉄、鉛、銅、亜鉛などを例示することができるが、これらに限られるものではない、金属以外の素材（例えば、ガラスやセラミック）を使用してもよい。また、錘９の形状はケース３に保持されるような形状であれば、例えば、円柱、角柱、球など各種の形状を任意に選ぶことができる。また、ケース３は所定の長さを備える棒体であれば十分であり、筒である必要はない。例えば、ケース３に代えて、中実の棒体をマウスピース付ばね板２と結合して、前記中実の棒体の先端に錘を取り付けるようにしてもよい。あるいは、錘９を省いて、ケース３（棒体）自身の質量を利用して、表情筋に負荷を与えるようにしてもよい。
【００３３】
また、本実施形態の表情筋鍛錬具１は、マウスピース部４、ばね板５、および結合部６を一材で構成したマウスピース付ばね板２を備えるが、マウスピース部４、ばね板５、および結合部６をそれぞれ別部品で構成できることは言うまでもない。またマウスピース部４、ばね板５、および結合部６の素材は、ウレタン樹脂やポリプロピレン樹脂には限られない。他の合成樹脂、金属、あるいはその他の素材を選ぶこともできる。
【００３４】
なお、本実施形態は、本発明の具体的な実施態様を例示するものであって、本発明の技術的範囲を画するものではない。本発明は特許請求の範囲に記載された技術的思想の限りにおいて、自在に応用変形あるいは改良して実施することができる。
【産業上の利用可能性】
【００３５】
本発明は、表情筋（浅頭筋）、特に、口や顎の周りの筋肉を鍛錬する表情筋鍛錬具として有用である。
【符号の説明】
【００３６】
１表情筋鍛錬具
２マウスピース付ばね板
３ケース
４マウスピース部
５ばね板
６結合部
７小片
８バルブ部
９錘
１０第１のケース
１１第２のケース
１２保持ばね
１３上歯
１４下歯
１５下唇
１６上唇
【図１】
2010264132.tif 000003
【図２】
2010264132.tif 000004
【図３】
2010264132.tif 000005